(57)【要約】【課題】  複数枚のパネルを連結して構成するローパーティションのパネル連結構造であって、構造が簡単であると共にコストが安くなり、据付作業も容易なパネル連結構造の提供。【解決手段】  パネル側端には概略コ型断面の長尺材から成る連結部材８ａ，８ｂを固定し、連結部材８ａ，８ｂの両側片先端には外方向へ突出する目地片１２，１２・・をパネル表面材６，６の側端屈曲片より外側に設け、連結部材８ａ，８ｂには嵌入溝１３，１３とネジ穴１７，１７・・を設けている。そして、隣り合うパネル１ａ，１ｂの連結部材同士を突き合わせると共に間に隙間材２０を介在した状態で下連結金具２及び上連結金具３の脚１５，１５・・を嵌入溝１３，１３に嵌入すると共にネジ止めし、さらに下連結金具２の基板中央に設けたネジ穴１７にはアジャスターネジ４を螺合してパネル１ａ，１ｂを適当な高さに支持される。【選択図】    図１
2006063723.tif 000002
【特許請求の範囲】
【請求項１】
複数枚のパネルを連結して構成するローパーティションであって、直線状に連結されるパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして、隣り合うパネルの連結部材同士を間に隙間材を介在して突き合わせた状態で下連結金具及び上連結金具の脚を嵌入溝に嵌入すると共にネジ止めし、さらに下連結金具の基板中央に設けたネジ穴にはアジャスターネジを螺合してパネルを適当な高さに支持されたことを特徴とするローパーティション用パネル連結構造。
【請求項２】
複数枚のパネルを連結して構成するローパーティションであって、Ｌ型に連結されるパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして底片を繋いだ正方形断面の筒材の各コーナーから上記連結部材と同じ側片を延ばして連結部を四方に設け、各パネルの連結部材とスタッドの連結部を間に隙間材を介在して突き合わせ、下連結金具及び上連結金具の脚を上記連結部材及び連結部の嵌入溝に嵌入すると共にネジ止めし、さらに下連結金具の基板中央に設けたネジ穴にはアジャスターネジを螺合してパネルを適当な高さに支持し、パネルが連結されない連結部には正面キャップを取付けたことを特徴とするローパーティション用パネル連結構造。
【請求項３】
複数枚のパネルを連結して構成するローパーティションであって、Ｔ型に連結されるパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして底片を繋いだ正方形断面の筒材の各コーナーから上記連結部材と同じ側片を延ばして連結部を四方に設け、各パネルの連結部材とスタッドの連結部を間に隙間材を介在して突き合わせ、下連結金具及び上連結金具の脚を上記連結部材及び連結部の嵌入溝に嵌入すると共にネジ止めし、さらに下連結金具の基板中央に設けたネジ穴にはアジャスターネジを螺合してパネルを適当な高さに支持し、パネルが連結されない連結部には正面キャップを取付けたことを特徴とするローパーティション用パネル連結構造。
【請求項４】
複数枚のパネルを連結して構成するローパーティションであって、Ｘ型に連結されるパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして底片を繋いだ正方形断面の筒材の各コーナーから上記連結部材と同じ側片を延ばして連結部を四方に設け、各パネルの連結部材とスタッドの連結部を間に隙間材を介在して突き合わせ、下連結金具及び上連結金具の脚を上記連結部材及び連結部の嵌入溝に嵌入すると共にネジ止めし、さらに下連結金具の基板中央に設けたネジ穴にはアジャスターネジを螺合してパネルを適当な高さに支持したことを特徴とするローパーティション用パネル連結構造。
【請求項５】
複数枚のパネルを連結して構成するローパーティションであって、Ｌ型、Ｔ型、及びＸ型に連結されるパネル連結に使用されるスタッドにおいて、該スタッドは底片を繋いだ正方形断面の筒材の各底片両端から対を成して側片を延ばすと共に側片先端をＬ型繋ぎ片にて連結して連結部を四方に設け、又、連結部の側片にはネジ穴を有すネジ穴部を設けると共に、該ネジ穴部と底片との間には嵌入溝を形成したことを特徴とするローパーティションのパネル連結スタッド。
【発明の詳細な説明】
【技術分野】
【０００１】
本発明は連結が簡単に出来るローパーティションのパネル連結構造、及びパネル連結に際して用いるスタッドに関するものである。
【背景技術】
【０００２】
部屋空間を仕切る為に使用している間仕切りの中で、私的な小空間を形成する目的でローパーティションが用いられている。このローパーティションの形態も色々あるが、基本的には複数枚のパネルを床面に起立して周りを囲むように構成している。そこで、各パネルを簡単に連結することが出来ると共に、安定した連結が行われることが必要となる。従来ではローパーティションを構成するに当って、このパネル連結構造が色々知られている。
【０００３】
特開平１０−２１２７７６号に係る「パネル連結構造」は、間にスタッドを介在させることなくパネル連結するものであり、「パネルの連結材には２本の連結片を側端から突出して形成すると共に、一部には切欠き部を設け、この切欠き部からパネル連結材を嵌め込み、両パネル間の隙間となる目地空間にはパネル固定材を嵌入して連結片に係止すると共に、パネル連結部材にネジ止めしている。」
一般的なローパーティションではパネル間にスタッドを介在し、該スタッドを介してパネルを連結する構造と成っているが、上記「パネル連結構造」は該スタッドを用いないことで部品点数が削減されると共に、製造コストはその分だけ安くなるといった利点はあるが、パネル補強材の一部を切欠いてパネル連結材を嵌め込まなくてはならず、さらにパネル固定材を両パネルの隙間となる目地空間に嵌入してパネル連結材にネジ止めする必要があり、その為に組立て工数は小さくならない。
【０００４】
特許第３４４０８７５号に係る「パネルの連結構造」は、隣接するパネルの側端面同士を、連結部材を介して連結するものであり、連結部材を、隣接するパネル間にパネルの厚み方向に沿って挿入し、その下面がパネルの側端面に形成した係合孔の上向き開口端面に添接する位置まで落とし込み、連結部材の両端部に配設した係合爪を係合孔に係合させることにより隣接するパネルの側端面同士を連結している。
【０００５】
この連結構造はパネルが天井まで届く間仕切り装置を主な対象としているものであり、本発明が対象とするローパーティションには不向きである。係合爪を形成した連結部材をパネル側端面に形成した係合孔に係合爪を係合させることで連結されるが、連結部材及び係合孔の寸法誤差が大きいと、パネルがガタ付いたり、連結部材の係合爪が係合孔に係合することが出来ない場合が発生する。
【０００６】
一方、特開２００４−３６１０４号に係る「間仕切り装置」は、直線状に連結された間仕切り装置群の任意の位置に他の間仕切り装置を枝状の姿勢にして連結することを可能にしている。しかし、上記間仕切り装置に採用されている枝状に連結する連結構造は複雑である。
【特許文献１】特開平１０−２１２７７６号に係る「パネル連結構造」
【特許文献２】特許第３４４０８７５号に係る「パネルの連結構造」
【特許文献３】特開２００４−３６１０４号に係る「間仕切り装置」
【発明の開示】
【発明が解決しようとする課題】
【０００７】
このようにローパーティションを構成するパネル連結構造には上記のごとき問題がある。本発明が解決しようとする課題はこれら問題点であり、極めて簡単な構造にて隣接パネルを連結することが出来、しかも連結状態が安定してガタ付くことのないパネル連結構造及びパネル連結スタッドを提供する。
【課題を解決するための手段】
【０００８】
本発明に係るローパーティション用パネルの連結構造は、隣接するパネルを下連結金具と上連結金具によって連結して構成される。そこで、パネルの側端には上下方向に連続する連結部材が固定され、この連結部材に上下連結金具が取付けられることで隣り合うパネルが連結される。上記連結部材は概略コ型断面の長尺材であって、両側片の先端を外方向へ垂直に突出して目地片を形成している。
【０００９】
そして連結部材には嵌入溝が設けられ、この嵌入溝に上下連結金具の脚が嵌入し、上下連結金具を介して連結部材及びパネルが連結される。ところで、連結部材の下端に取付けられる下連結金具はアジャスター受けとしての機能を備え、その為にネジ穴を設けると共に、アジャスターネジがネジ穴に螺合してパネルを適度な高さに支えることが出来る。
【００１０】
又、パネルを連結するに際して、互いに突き合わされる連結部材間に隙間が残らないように、隙間材を目地片の間に介在している。そして、連結形態は直線状に連結する１ＷＡＹのみならず、Ｌ型を成す２ＷＡＹ、Ｔ型を成す３ＷＡＹ、及びＸ型を成す４ＷＡＹとした連結構造とすることが出来る。ただし、１ＷＡＹ以外の連結構造の場合には、別なスタッドが用いられる。
【発明の効果】
【００１１】
本発明のパネル連結構造は両側に脚を備えた連結金具を介して隣り合うパネルを連結することが出来る。すなわち、パネル側端には嵌入溝をもった連結部材を固定し、該嵌入溝に連結金具の脚を嵌めて連結することが出来ることで、至って簡単にパネルの連結作業を行い得る。連結形態は直線状の１ＷＡＹに限らず、連結部を備えたスタッドを用いることで、２ＷＡＹ、３ＷＡＹ、及び４ＷＡＹの連結も可能と成る。
【００１２】
そして、連結金具は連結部材の上端と下端に取付けられ、下端の連結金具はアジャスターネジが螺合してアジャスター受けとして機能することが出来る。又、コ型断面の連結部材には目地片が形成される為に、隣り合うパネルの間には連結部材の目地片が介在して適度な大きさの目地空間が形成される。しかも、互いに突き合わされる目地片間には隙間材が介在することで、連結部に隙間が発生することはない。
【実施例】
【００１３】
図１はローパーティションの連結部を示す、(ａ)正面図と(ｂ)縦断面図を表している。パネル１ａ，１ｂは下連結金具２と上連結金具３にて連結され、アジャスターネジ４で持って適当な高さに支持されている。同図に示すパネル１は、ペーパーコア５を心材として両面に表面材６，６を貼着し、そして一部にはガラス７が嵌められたガラスパネルを構成している。勿論、本発明ではパネル１の形態は限定しない。
【００１４】
パネル１ａ，１ｂの側端には点線で示す連結部材８ａ，８ｂが取着されていて、上記下連結金具２及び上連結金具３は連結部材８ａ，８ｂを連結している。連結部材８ａ，８ｂは概略コ型断面をした長尺材であって、パネル側端にネジ止めされ、そして該連結部材８ａ，８ｂはパネル１ａ，１ｂの下端より下方へ延びている。そして、該連結部材８ａ，８ｂの下端に下連結金具２が取付けられると共に、アジャスターネジ４が螺合して所定の高さに支えている。
【００１５】
パネル下端にはアジャスターネジ４を隠すように巾木９，９が両面側に取付けられ、又パネル上端には笠木１０ａ，１０ｂが取着されている。従って、上端の上連結金具３は該笠木１０ａ，１０ｂによってカバーされて見えないように成っている。
【００１６】
図２(ａ)は上連結金具３によってパネル１ａ，１ｂが連結されている場合、図２(ｂ)は下連結金具２によってパネル１ａ，１ｂが連結されている場合を示している。図３は上下連結金具２，３が取付けられていないパネル１ａ，１ｂであり、パネル側端には連結部材８ａ，８ｂがネジ止めされていて、該連結部材８ａ，８ｂに下連結金具２及び上連連結金具３が嵌ってパネル１ａ，１ｂが連結される。
【００１７】
連結部材８ａ，８ｂは図３から明らかなように概略コ型断面の長尺材であって、両側片１１，１１の先端には外方向へ突出する目地片１２，１２を有している。そして、該連結部材８ａ，８ｂはパネル１ａ，１ｂの側端開口に嵌ってネジ止めされている。パネル１ａ，１ｂの側端にはコ型断面の補強材が設けられ、表面材６，６はこの補強材を被覆し、側端にて上記連結部材８ａ，８ｂの側片１１，１１まで延びている。
【００１８】
そして、連結部材８ａ，８ｂには嵌入溝１３、１３とネジ穴１７，１４・・が形成されている。下連結金具２及び上連結金具３の脚は嵌入溝１３，１３・・に嵌入すると共に、ネジ穴１７，１４・・にネジを螺合して取付けられる。前記図２(ａ)は上連結金具３を連結部材８ａ，８ｂの上端に取付けた場合、(ｂ)は下連結金具２を連結部材８ａ，８ｂの下端に取付けた場合を示しているように、上連結金具３及び下連結金具２の脚は嵌入溝１３，１３・・に嵌入し、外れないようにネジ止めされている。
【００１９】
両パネル１ａ，１ｂは図３に示すように直線状の１ＷＡＹ形態で連結される場合、連結部材８ａ，８ｂの目地片１２，１２・・は互いに当接して目地空間を形成する。そして、当接する目地片１２，１２・・間に隙間が発生しないように隙間材２０を両パネル１ａ，１ｂ間に介在して連結している。しかも、隙間片２１，２１は互いに突き合わされる目地片１２，１２・・間に嵌入する。ここで、隙間材２０は図３に示す断面をした長尺材であり、連結部材８ａ，８ｂの長さに成っている。
【００２０】
図４は上連結金具３を表している。該上連結金具３は長方形の基板１４の両側に脚１５，１５を延ばし、基板１４の四隅にはネジが挿通する穴１６，１６・・を貫通している。図２(ａ)はこの上連結金具３を取付けてパネル１ａ，１ｂの上端側を連結している場合である。ここで、脚１５，１５は板状であって、連結部材８ａ，８ｂに設けている嵌入溝１３，１３にガタ付くことなく嵌ることが出来る。
【００２１】
図５は下連結金具２を示している。この下連結金具２は長方形基板１４の四隅にはネジが挿通する穴１６，１６・・を貫通し、そして両側には脚１５，１５を延ばしている。又、下連結金具２の場合には、基板中央にネジ穴１７を設けている。しかも該ネジ穴１７は基板１４から筒１８を延ばし、該筒１８にもネジ穴１７を連続して設け、脚１５，１５と筒１８との間にはリブ１９を設けて繋いでいる。該リブ１９、１９は補強としても機能するが、先端部を細くして脚１５，１５より上方へ延びている為に、連結金具８ａ，８ｂの下端に取付ける際の位置決めガイドと成って取付け易い。
【００２２】
下連結金具２は連結部材８ａ，８ｂの下端に取付けられ、しかも、ネジ穴１７にはアジャスターネジ４が螺合してパネル１ａ，１ｂを支持することが出来る。ところで、パネル１ａ，１ｂの据付方法は自由であり、本発明が限定するものではないが、一方のパネル１ａの連結部材８ａの下端に下連結金具２を取付けると共にアジャスターネジ４を螺合して該パネル１ａを起立する。
【００２３】
そして、他方のパネル１ｂの連結部材８ｂの嵌入溝１３に下連結金具２の脚１５を嵌入し、両パネル１ａ，１ｂが下連結金具２に載って支持されたところで、上連結金具３を連結部材８ａ，８ｂの上端に取付けることが出来る。さらに、パネル上端には笠木１０ａ，１０ｂが取着される。
【００２４】
ところで、上記実施例は直線状に連結する１ＷＡＹ方式であるが、本発明は２ＷＡＹ方式、３ＷＡＹ方式、及び４ＷＡＹ方式の連結構造も対象とする。図６は２ＷＡＹと３ＷＡＹの連結構造を備えた間仕切り装置の横断面を表し、(ａ)はペーパーコアを充填した金属製パネルを用いた間仕切り装置、(ｂ)はガラスパネルを用いた間仕切り装置を各々表している。
【００２５】
２ＷＡＹ方式に連結する場合、及び３ＷＡＹ方式に連結する場合、前記実施例で示した連結部材８ａ，８ｂを互いに突き合わせることは出来ず、連結部にはスタッド２２を起立し、該スタッド２２に設けている連結部をパネル側端に取着した連結部材８を突き合わせて連結する。スタッド２２の連結部とパネルの連結部材８との連結には前記下連結金具２及び上連結金具３が使用される。
【００２６】
図７はスタッド２２を単独で表している。このスタッド２２は同図から明らかなように、４本の連結部材８，８・・に相当する連結部２３ａ，２３ｂ，２３ｃ，２３ｄが互いに垂直を成すように、４方向を向いて繋ぎ合わされている。すなわち、底片２４ａ，２４ｂ，２４ｃ，２４ｄが連結して正方形断面の筒を形成し、この底片２４ａ，２４ｂ・・の先端には側片１１，１１・・が対を成して外方向へ延びている。そして、各側片１１，１１・・の先端はＬ型繋ぎ片２８にて連結して概略正方形筒をコーナーに形成している。
【００２７】
又、連結部２３ａ，２３ｂ・・には連結部材８と同じように、嵌入溝１３、１３・・とネジ穴１７，１４・・が形成されている。下連結金具２及び上連結金具３の脚は嵌入溝１３，１３・・に嵌入すると共に、ネジ穴１７，１４・・にネジを螺合して取付けられる。
【００２８】
図８は図７のスタッド２２を使用してパネル１ａ，１ｃ，１ｄをＴ型と成る３ＷＡＹに連結した場合を表している。スタッド２２には４方向に連結部２３ａ，２３ｂ・・を設けているが、３ＷＡＹ方式の連結構造では連結部２３ａ，２３ｃ，２３ｄの３箇所が用いられて、パネル１ａ，１ｃ，１ｄが３方向へ延びて連結される。
【００２９】
パネル１ａの側端には連結部材８ａが固定され、この連結部材８ａはスタッド２２の連結部２３ａに下連結金具２及び上連結金具３でもって連結される。勿論、連結部２３ａと連結部材８ａとの間には隙間材２０が介在して、間の隙間発生を防止している。同じく、パネル１ｃの側端には連結部材８ｃが固定され、この連結部材８ｃはスタッド２２の連結部２３ｃに下連結金具２及び上連結金具３でもって連結される。更に、パネル１ｄの側端には連結部材８ｄが固定され、この連結部材８ｄはスタッド２２の連結部２３ｄに下連結金具２及び上連結金具３でもって連結される。
【００３０】
ところで、３ＷＡＹ方式の連結構造である為に、スタッド２２の連結部２３ｂにはパネルが連結されていない。従って、この連結部２３ｂを塞ぐ為に正面キャップ２５を取付けている。正面キャップ２５には２本の脚２６，２６が形成され、該脚２６，２６がネジ穴１７，１７を設けているネジ穴部２７，２７に係止して該正面キャップ２５は取付けられる。
【図面の簡単な説明】
【００３１】
【図１】本発明に係るローパーティション用パネルの連結構造。
【図２】(ａ)パネル上端の連結構造、(ｂ)パネル下端の連結構造。
【図３】パネル側端に取着される連結部材。
【図４】上連結金具の具体例。
【図５】下連結金具の具体例。
【図６】間仕切り装置の横断面図。
【図７】スタッドの形態。
【図８】スタッドを用いた３ＷＡＹの連結構造。
【符号の説明】
【００３２】
１  パネル
２  下連結金具
３  上連結金具
４  アジャスターネジ
５  ペーパーコア
６  表面材
７  ガラス
８  連結部材
９  巾木
10  笠木
11  側片
12  目地片
13  嵌入溝
14  基板
15  脚
16  穴
17  ネジ穴
18  筒
19  リブ
20  隙間材
21  隙間片
22  スタッド
23  連結部
24  底片
25  正面キャップ
26  脚
27  ネジ穴部
28  Ｌ型繋ぎ片
【図１】
2006063723.tif 000003
【図２】
2006063723.tif 000004
【図３】
2006063723.tif 000005
【図４】
2006063723.tif 000006
【図５】
2006063723.tif 000007
【図６】
2006063723.tif 000008
【図７】
2006063723.tif 000009
【図８】
2006063723.tif 000010